(57)【特許請求の範囲】
【請求項１】
記録手段に記録された画像のうち、再生して表示部に表示する画像を切り替える画像切替え手段と、
青色成分の明度を減らすことによって赤色に近づくように色彩を変更する暗所表示処理を施す画像処理手段と、
前記画像切替え手段によって切り替え前の画像から切り替え後の画像に画像を切り替える際に、前記記録手段から読み込んだ前記切り替え後の画像の青色成分が所定以上である場合には、前記暗所表示処理を施して前記切り替え後の画像を表示し、前記記録手段から読み込んだ前記切り替え後の画像の青色成分が所定未満である場合には、前記暗所表示処理を施さずに前記切り替え後の画像を表示するように制御する表示制御手段とを有することを特徴とする表示制御装置。
【請求項２】
撮影指示を行う撮影指示手段をさらに有し、
前記表示制御手段は、前記撮影指示手段によって撮影指示が行われたことに応じて前記表示部に表示される画像は、画像の青色成分の大きさに関わらず前記暗所表示処理を施さずに表示するように制御することを特徴とする請求項１に記載の表示制御装置。
【請求項３】
表示部に表示する画像を切り替える画像切替え手段と、
青色成分の明度を減らすことによって赤色に近づくように色彩を変更する暗所表示処理を施す画像処理手段と、
画像の属性情報を読み出す読み出し手段と、
前記読み出し手段により読み出された画像の属性情報に該画像が暗所において撮影されたことを示す属性情報が含まれる場合には、前記暗所表示処理を前記画像に施さずに表示し、
前記読み出し手段により読みだされた画像の属性情報に前記画像が暗所において撮影されたことを示す属性情報が含まれない場合には、前記暗所表示処理を前記画像に施して表示するように制御する表示制御手段とを有することを特徴とする表示制御装置。
【請求項４】
前記暗所において撮影されたことを示す属性情報には、夜景を撮影するのに適した撮影モードで撮影が行われたこと、撮影された時刻が夜間であったことを示す情報のいずれかが含まれていることを特徴とする請求項３に記載の表示制御装置。
【請求項５】
ユーザの指示に応じて表示部に表示する画像を切り替える手動画像切替え手段と、
ユーザの操作によらずに前記表示部に表示する画像を切り替え可能な自動切替え手段と、
青色成分の明度を減らすことによって赤色に近づくように色彩を変更する暗所表示処理を施す画像処理手段と、
特定の画像が前記手動画像切替え手段により前記表示部に表示される場合には、前記暗所表示処理を施して前記特定の画像を表示し、
前記特定の画像が前記自動切替え手段により前記表示部に表示される場合には、前記暗所表示処理を施さずに前記特定の画像を表示するように制御する表示制御手段とを有することを特徴とする表示制御装置。
【請求項６】
前記自動切替え手段による画像の切り替えは所定時間の経過に応じて画像が切り替わるスライドショーであることを特徴とする請求項５に記載の表示制御装置。
【請求項７】
前記特定の画像は、画像に含まれる青色成分の明度の値が所定値以上である画像であることを特徴とする請求項５または６に記載の表示制御装置。
【請求項８】
前記特定の画像は、特定の撮影モードで撮影された画像ではないこと、あるいは撮影時刻が夜間の時刻である画像でないことを特徴とする請求項５または６に記載の表示制御装置。
【請求項９】
前記画像処理手段は、ＲＧＢ信号のうち少なくともＢ成分の明度を低減させることで画像が赤色に近づくようにすることを特徴とする請求項１乃至８の何れか１項に記載の表示制御装置。
【請求項１０】
画像全体の青色成分の明度を取得する取得手段をさらに有し、
前記取得手段により取得された青色成分の明度が所定値以上である場合には、前記表示制御手段は前記切り替え後の画像に前記暗所表示処理を施して表示するように制御することを特徴とする請求項１または２に記載の表示制御装置。
【請求項１１】
画像全体の各画素の青色成分の明度を取得する取得手段をさらに有し、
前記切り替え後の画像全体の、青色成分の明度が所定値以上である画素の割合が所定以上である場合には、前記画像処理手段は前記切り替え後の画像に前記暗所表示処理を施すことを特徴とする請求項１または２に記載の表示制御装置。
【請求項１２】
前記取得手段は、画像全体のＲＧＢ成分のうちＢ成分の明度の値により該画像の青色成分の明度を取得することを特徴とする請求項１０または１１に記載の表示制御装置。
【請求項１３】
前記暗所表示処理を施した後の画像は、前記暗所表示処理を施す前の画像よりも、青色成分の明度の低い画像であることを特徴とする請求項１乃至１２の何れか１項に記載の表示制御装置。
【請求項１４】
青色成分の明度を減らす暗所表示処理を施す動作モードに設定する設定手段と、
第一の効果と第二の効果とを含む複数の画像処理の効果のうち何れかを選択する選択手段と、
前記設定手段により前記動作モードに設定されていない場合には、前記第一の効果を説明する際に前記第一の効果を説明する作例画像を表示し、前記第二の効果を説明する際に前記第二の効果を説明する作例画像を表示し、前記設定手段により前記動作モードに設定されている場合には、前記第一の効果を説明する際に前記第一の効果を説明する作例画像を表示し、前記第二の効果を説明する際に前記第二の効果を説明する作例画像は表示しないように制御する表示制御手段とを有することを特徴とする表示制御装置。
【請求項１５】
前記第一の効果は、暗所用の効果として予め定められた効果であることを特徴とする請求項１４に記載の表示制御装置。
【請求項１６】
前記第二の効果は、明所用の効果として予め定められた効果であることを特徴とする請求項１４または１５に記載の表示制御装置。
【請求項１７】
前記暗所表示処理を施す動作モードに設定する設定手段をさらに有し、
前記表示制御手段は、前記設定手段により暗所表示処理を施す動作モードに設定され、前記画像切替え手段によって切替えられる切り替え後の画像の青色成分が所定以上である場合には、前記暗所表示処理を施して前記切り替え後の画像を表示し、
前記設定手段により暗所表示処理を施す動作モードに設定されていない場合には、前記切替え手段により切り替えられる切り替え後の画像の青色成分が所定以上であっても前記暗所表示処理を施さずに前記切り替え後の画像を表示するように制御することを特徴とする請求項１または２に記載の表示制御装置。
【請求項１８】
記録手段を有する表示制御装置の制御方法であって、
前記記録手段に記録された画像のうち、再生して表示部に表示する画像を切り替える画像切替えステップと、
青色成分の明度を減らすことによって赤色に近づくように色彩を変更する暗所表示処理を施す画像処理ステップと、
前記画像切替えステップにおいて切り替え前の画像から切り替え後の画像に画像を切り替える際に、前記記録手段から読み込んだ前記切り替え後の画像の青色成分が所定以上である場合には、前記暗所表示処理を施して前記切り替え後の画像を表示し、前記記録手段から読み込んだ前記切り替え後の画像の青色成分が所定未満である場合には、前記暗所表示処理を施さずに前記切り替え後の画像を表示するように制御する表示制御ステップとを有することを特徴とする表示制御装置の制御方法。
【請求項１９】
表示部に表示する画像を切り替える画像切替えステップと、
青色成分の明度を減らすことによって赤色に近づくように色彩を変更する暗所表示処理を施す画像処理ステップと、
画像の属性情報を読み出す読み出しステップと、
前記読み出しステップにおいて読み出された画像の属性情報に該画像が暗所において撮影されたことを示す属性情報が含まれる場合には、前記暗所表示処理を前記画像に施さずに表示し、
前記読み出しステップにおいて読みだされた画像の属性情報に前記画像が暗所において撮影されたことを示す属性情報が含まれない場合には、前記暗所表示処理を前記画像に施して表示するように制御する表示制御ステップとを有することを特徴とする表示制御装置の制御方法。
【請求項２０】
ユーザの指示に応じて表示部に表示する画像を切り替える手動画像切替えステップと、ユーザの操作によらずに前記表示部に表示する画像を切り替え可能な自動切替えステップと、
青色成分の明度を減らすことによって赤色に近づくように色彩を変更する暗所表示処理を施す画像処理ステップと、
特定の画像が前記手動画像切替えステップにおいて前記表示部に表示される場合には、前記暗所表示処理を施して前記特定の画像を表示し、
前記特定の画像が前記自動切替えステップにおいて前記表示部に表示される場合には、前記暗所表示処理を施さずに前記特定の画像を表示するように制御する表示制御ステップとを有することを特徴とする表示制御装置の制御方法。
【請求項２１】
青色成分の明度を減らす暗所表示処理を施す動作モードに設定する設定ステップと、
第一の効果と第二の効果とを含む複数の画像処理の効果のうち何れかを選択する選択ステップと、
前記設定ステップにおいて前記動作モードに設定されていない場合には、前記第一の効果を説明する際に前記第一の効果を説明する作例画像を表示し、前記第二の効果を説明する際に前記第二の効果を説明する作例画像を表示し、前記設定ステップにおいて前記動作モードに設定されている場合には、前記第一の効果を説明する際に前記第一の効果を説明する作例画像を表示し、前記第二の効果を説明する際に前記第二の効果を説明する作例画像は表示しないように制御する表示制御ステップとを有することを特徴とする表示制御装置の制御方法。
【請求項２２】
コンピュータを、請求項１乃至１７のいずれか１項に記載された表示制御装置の各手段として機能させるためのプログラム。
【請求項２３】
コンピュータを、請求項１乃至１７のいずれか１項に記載された表示制御装置の各手段として機能させるためのプログラムを格納したコンピュータが読み取り可能な記録媒体。
【発明の詳細な説明】
【技術分野】
【０００１】
本発明は、色彩成分の明度を変更する表示制御技術に関する。
【背景技術】
【０００２】
夜景撮影や星空撮影を行う暗所撮影においては、表示部に青色成分の高い表示がされると撮影しているユーザの暗順応を妨げてしまうことが知られている。これに対し、特許文献１には、暗所においては、表示する画像のＲＧＢのうちＧ、Ｂ信号をＲ信号の出力値よりも低減させることにより赤色表示をすることで、暗順応を妨げないようにする表示の方法が記載されている。
【先行技術文献】
【特許文献】
【０００３】
【特許文献１】特開２０１２−１４２８２３号公報
【発明の概要】
【発明が解決しようとする課題】
【０００４】
特許文献１のように、暗所になったことに応じて赤色表示をした場合には、表示される画像や表示アイテムの全てが赤色表示される。しかし、例えば暗所において撮影した画像まで赤色表示されてしまうと、ユーザが暗所での撮影中に撮影した画像を確認したいのに赤色表示された画像しか見られず、撮影した画像を正確に確認できない可能性がある。一方で、画像に対して赤色表示を行わないようにすると複数の画像の確認を行うような再生画面において、画像送りを行うことにより明所で撮影された明るい画像までもが表示されてしまい、暗順応が妨げられてしまう可能性がある。
【０００５】
本発明は、上記の課題に鑑み、暗所において暗順応の妨げを低減させ、表示精度を向上させる表示制御装置の提供を目的とする。
【課題を解決するための手段】
【０００６】
上記目的を達成するために、本発明の表示制御装置は、記録手段に記録された画像のうち、再生して表示部に表示する画像を切り替える画像切替え手段と、青色成分の明度を減らすことによって赤色に近づくように色彩を変更する暗所表示処理を施す画像処理手段と、前記画像切替え手段によって切り替え前の画像から切り替え後の画像に画像を切り替える際に、前記記録手段から読み込んだ前記切り替え後の画像の青色成分が所定以上である場合には、前記暗所表示処理を施して前記切り替え後の画像を表示し、前記記録手段から読み込んだ前記切り替え後の画像の青色成分が所定未満である場合には、前記暗所表示処理を施さずに前記切り替え後の画像を表示するように制御する表示制御手段とを有することを特徴とする。
【発明の効果】
【０００７】
本発明によれば、暗所において暗順応の妨げを低減させ、表示精度を向上させることができる。
【図面の簡単な説明】
【０００８】
【図１】本実施形態の構成を適用可能な表示制御装置の一例としてのデジタルカメラの外観図。
【図２】本実施形態の構成を適用可能な表示制御装置の一例としてのデジタルカメラの構成例を示すブロック図。
【図３】本実施形態の画像表示に関する処理を示すフローチャート。
【図４】本実施形態の表示設定に関する処理を示すフローチャート。
【図５】本実施形態の明所表示に関する処理を示すフローチャート。
【図６】本実施形態の青色成分計測に関する処理を示すフロオーチャート。
【図７】本実施形態における再生画面の一例を示す図。
【図８】本実施形態における作例画面の一例を示す図。
【図９】本実施形態におけるライブビュー画面の一例を示す図。
【図１０】本実施形態における暗所表示設定の画面の一例を示す図。
【発明を実施するための形態】
【０００９】
以下、図面を参照して本発明の好適な実施形態を説明する。
【００１０】
図１に本発明の表示制御装置の一例としてのデジタルカメラ１００の外観図を示す。表示部２８は画像や各種情報を表示する表示部である。シャッターボタン６１は撮影指示を行うための操作部である。モード切替スイッチ６０は各種モードを切り替えるための操作部である。操作部７０はユーザからの各種操作を受け付ける各種スイッチ、ボタン、タッチパネル等の操作部材より成る操作部である。操作部７０の各操作部材は、表示部２８に表示される種々の機能アイコン（表示アイテム）を選択操作することなどにより、場面ごとに適宜機能が割り当てられ、各種機能ボタンとして作用する。機能ボタンとしては、例えば再生ボタン７４、メニューボタン７５、戻るボタン７６等がある。例えば、メニューボタン７５が押されると表示設定を含む各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。コントローラホイール７３は操作部７０に含まれる回転操作可能な操作部材である。電源スイッチ７２は、電源オン、電源オフを切り替えるための押しボタンである。記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となり記録や再生が可能となる。蓋２０２は記録媒体スロット２０１の蓋である。図においては、蓋２０２を開けて記録媒体スロット２０１から記録媒体２００の一部を取り出して露出させた状態を示している。照度計測部５７は、デジタルカメラ１００の周辺の照度を計測する照度センサーである。
【００１１】
図２は、本実施形態によるデジタルカメラ１００の構成例を示すブロック図である。
【００１２】
図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１３】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１４】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画や所定時間の動画および音声を格納するのに十分な記憶容量を備えている。
【００１５】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像（ライブビュー画像）を表示可能である。
【００１６】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００１７】
システム制御部５０は、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００１８】
システムタイマー５３は各種制御に用いる時間や、内蔵された時計の時間を計測する計時部である。
【００１９】
モード切替スイッチ６０、シャッターボタン６１、操作部７０はシステム制御部５０に各種の動作指示を入力するための操作手段である。
【００２０】
モード切替スイッチ６０は、システム制御部５０の動作モードを静止画記録モード、動画撮影モード、再生モード等のいずれかに切り替える（モード設定する）。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切替スイッチ６０で、これらのモードのいずれかに直接切り替えられる。あるいは、メニュー画面に一旦切り換えた後に、メニュー画面に含まれるこれらのモードのいずれかに、他の操作部材を用いて切り替えるようにしてもよい。同様に、動画撮影モードにも複数のモードが含まれていてもよい。メニュー画面には他に編集モードもあり、編集モードにおいては選択した画像に効果をかけたり、他の画像と合成をしたり、大きさを変えたりする等の画像編集を行うこともできる。
【００２１】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２２】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２３】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２４】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや光ディスク、磁気ディスク等から構成される。
【００２５】
通信部５４は、無線または有線ケーブルによって接続し、映像信号や音声信号等の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００２６】
照度計測部５７は、デジタルカメラ１００がある環境周辺の照度を計測する照度センサーである。
【００２７】
表示制御部５５は表示部２８の光学輝度を変更することができる。表示の光学輝度変更はバックライト等の輝度調整装置を調整することででき、本実施形態においては、表示の光学輝度は０ｃｄ／ｍ２〜３００ｃｄ／ｍ２程度の間で調整することができるものとする。また、表示制御部５５は、表示部２８に表示する画像及び表示アイテムをなす画素の各ＲＧＢ成分の割合を変更することができる。ＲＧＢ成分は０〜２５５の２５６段階で変更可能であるが、もともとの（Ｒ成分、Ｇ成分、Ｂ成分）が（１５０、２５、２５０）であった場合に（２５５、５０、２０）といったようにそれぞれを変更することができる。ＲＧＢ成分の値は、表示制御部５５によって検出可能（取得可能）であるが、各画像や表示アイテムと共に不揮発性メモリ５６に記憶しておいてもよい。各画素の色彩を変更する方法としては、ＲＧＢ信号の成分を変更するだけでなく、少なくとも青色成分（Ｂ成分）の値を変更可能であればＲＧＢ信号処理に限らない。
【００２８】
暗所ではユーザが暗順応していない間は画像や表示アイテムといった表示が見えにくく、特に撮影においてはこれらの表示が見えないと撮影結果に影響を及ぼすことがある。よって、暗所においてはより早く暗順応し、また暗順応がとけにくいような表示をした方がよい。暗所において青色成分（ＲＧＢ成分ではＢ成分）の高い画像はユーザの暗順応を妨げる可能性がある。そこで、表示中の画像の青色成分の明度が暗順応を妨げる所定以上の値である場合には、暗順応を妨げない赤色表示（暗所表示）に表示中の画像の色彩成分を切り替えて表示させることがある。青色成分をユーザの暗順応が妨げられない程度に低減させて表示することで、暗順応を妨げない画像を表示することができる。さらに、青色成分を低減させると、暗順応を妨げない色彩成分である赤色に近づくような色彩で表示中の画像が表示（赤色表示）され、ユーザの視認性も保つことができる。
【００２９】
本実施形態においては、暗所表示（赤色表示）をする際にＲＧＢ信号処理を行う。Ｂ成分を所定以下にして画像を表示するような赤色（または赤色と黒色）で画像や表示を認識できるような表示をすると、画面の視認性や設定等を行う際の操作性が向上する。
【００３０】
本実施形態で暗所表示をするための処理は、もともとの画像が赤色に近づくように各画素のＢ成分の明度を０まで低減させることにより行う。ただし、表示アイテム等の予め表示するものが決まっている場合には毎回画素ごとにＢ成分を低減させる処理（暗所表示処理）を行わなくてもよく、暗所表示のための表示アイテムをメモリ３２に記録して、表示をするようにしてもよい。なお、上述した暗所表示処理における各ＲＧＢの割合は一例であり、この限りではなく、Ｂ成分を０にしなくてもよいし、Ｂ成分とともにＧ成分も低減させるようにしてもよい。さらに、Ｂ成分を低減させたことに応じてＲ成分の明度をあげるようにしてもよい。また、ユーザの視認性がさらに向上するようにＲ成分を上げて表示をするようにしてもよい。表示制御部５５が行うものとして説明する暗所表示処理は、画像処理部２４で行うものとしてもよい。
【００３１】
また、表示の輝度（Ｙ信号）は一般的には、Ｙ＝（０．２９９０×Ｒ）＋（０．５８７０×Ｇ）＋（０．１１４０×Ｂ）で求めることができる。ＲＧＢ成分より求められる明るさは通常Ｙ信号と呼ばれ、Ｙ信号の値が大きいほどユーザは明るいと感じる画像になる。Ｙ信号が高い画像は、ユーザが明るいと感じる画像である。暗所において撮影されるような星空等の夜景はＹ信号が低いが、青空の下や明るい室内で撮影されたような画像はＹ信号が高くなる。例えば、青空の画像や明るい室内等の明るい場所で撮影された画像を暗所で表示すると光学輝度を下げて表示をしたとしても、Ｙ信号が高くユーザがまぶしいと感じることがある。よって、暗順応ではなく、ただユーザが明るいと感じる画像を表示しない場合には、Ｙ信号によって画像の明るさを判定してもよい。また、暗所でユーザに表示した場合に、ユーザの視認性が低下するか否かをＹ信号に加えてＢ成分の値により判定するようにしてもよい。
【００３２】
本実施形態においては、表示部２８の光学輝度は、照度計測部５７によって検出された周囲の照度に応じて表示制御部５５が光学輝度を明るくしたり暗くしたりする。周囲の照度が明るければ光学輝度も明るく、周囲の照度が暗ければ光学輝度も暗くなるように制御する。
【００３３】
図３のフローチャートを用いて、本実施形態における画像表示について図７〜図９を使用して説明する。画像表示のフローは、デジタルカメラ１００に電源が入り、表示部２８への表示が可能になると開始する。この処理は、不揮発性メモリ５６に記録されたプログラムをシステムメモリ５２に展開してシステム制御部５０が実行することで実現する。
【００３４】
Ｓ３０１では、システム制御部５０は、表示設定が選択されたか否かを判定する。表示設定が選択されたと判定した場合は、Ｓ３０２へ進み、そうでない場合は、Ｓ３０３へ進む。表示設定ではデジタルカメラ１００の表示に関する設定であり、明るさ設定、文字の大きさ設定、表示のレイアウト設定、暗所表示設定等の様々な設定を行うことができる。また、表示設定はメニューボタン７５の押下により表示されるメニュー画面において選択することができる。
【００３５】
Ｓ３０２では、システム制御部５０は、表示設定を行う。表示設定については、図４の表示設定のフローで説明する。
【００３６】
Ｓ３０３では、システム制御部５０は、暗所表示設定がＯＮであるか否かを判定する。暗所表示設定がＯＮであると判定した場合は、Ｓ３０４へ進み、そうでない場合は、Ｓ３１７へ進む。
【００３７】
Ｓ３０４では、システム制御部５０は、撮影モードが開始されたか否かを判定する。撮影モードが開始されたと判定された場合は、Ｓ３１８へ進み、そうでない場合は、Ｓ３０５へ進む。撮影モードは、シャッターボタン６１の押下やタッチパネル上の撮影開始指示の操作等に応じて、静止画または動画の撮影を開始することができるモードである。撮影モードにおいてライブビュー画像を表示部２８に表示すると、ユーザは撮影される画像を確認しながら撮影の開始指示をすることができる。初期設定では、電源を入れると最初にライブビュー画面が表示され、すぐに撮影を行えるようになっている。また、撮影モードから再生ボタン７４の押下により再生モードに切り替え、再生画面が表示されている状態から再生ボタン７４を押すと撮影モードに切り替わりライブビュー画面が表示される。同様に、メニュー画面が表示されている状態からメニューボタン７５を押下すると撮影モードになりライブビュー画面が表示される。
【００３８】
Ｓ３０５では、システム制御部５０は、再生モードが開始されたか否かを判定する。再生モードが開始されたと判定した場合は、Ｓ３０６へ進み、そうでない場合は、Ｓ３０２へ戻る。再生モードは、撮影画面やメニュー画面が表示部２８に表示されている時に再生ボタン７４を押下すると開始される。
【００３９】
Ｓ３０６では、システム制御部５０は、表示アイテムを暗所表示処理して表示部２８に表示する。図７（ｂ）、（ｃ）に示すように再生画面において再生画像ではない表示アイテム７０５〜７０７、７０９〜７１０の表示色彩が赤色（赤色表示）になるように暗所表示処理して表示する。図７は表示部２８に再生画面を表示した場合の例を示しており、図７（ａ）は暗所表示がＯＦＦの場合の再生画面の一例である。また、図７（ｂ）は暗所表示がＯＮの場合に青色成分が所定以上の（暗順応を妨げる可能性の高い）画像を再生した場合の再生画面の一例である。図７（ｃ）は暗所表示がＯＮの場合に青色成分が所定未満の（暗順応を妨げる可能性の低い）画像を再生した場合の再生画面の一例を示したものである。図７（ａ）の表示アイテム７０２、７０３は図７（ｂ）、（ｃ）のように暗所表示処理されていない場合の表示アイテムを示している。再生画面において表示アイテムは、暗所表示設定がＯＮになっていれば暗所表示処理されて表示される。
【００４０】
Ｓ３０７では、システム制御部５０は、スライドショーが開始されたか否かを判定する。スライドショーが開始されたと判定した場合は、Ｓ３０８へ進み、そうでない場合は、Ｓ３１０へ進む。スライドショーは、不揮発性メモリ５６に記憶されている画像を２秒や４秒といった所定時間が経過する毎に次々に表示部２８に表示するものである。ユーザは表示する画像を切り替える操作をしなくても（手動画像切替えしなくても画像が自動切替えされ）複数枚の画像を確認、鑑賞することができる。スライドショーは再生画面用の設定画面（表示モード設定の画面）から開始の指示をすることができる。スライドショーで再生する画像は不揮発性メモリ５６に記録されている画像全てでも、撮影された日にち毎でもよいし、ユーザが再生する画像を設定してもよい。スライドショーは再生する画像が全て１回ずつ再生された、もしくは、ユーザの操作によりスライドショーが中止されたことに応じて終了するものとする。
【００４１】
Ｓ３０８では、システム制御部５０は、表示する画像を所定時間毎に切替え、順次画像を表示していく。スライドショーは観賞のために行っている可能性が高いため青色成分が多い、または輝度が高い画像であっても暗所表示処理を行わずにそのまま表示をする。
【００４２】
Ｓ３０９では、システム制御部５０は、スライドショーが終了したか否かを判定する。スライドショーが終了したと判定した場合は、Ｓ３１４へ進み、そうでない場合は、Ｓ３０８へ戻りスライドショーを続ける。
【００４３】
Ｓ３１０では、システム制御部５０は、次に表示する画像の青色成分を計測する。画像の青色成分の計測については図６の青色成分の計測のフローで説明する。
【００４４】
Ｓ３１１では、システム制御部５０は、Ｓ３１０において次に表示する画像の青色成分が所定以上（所定値以上）であったか否かを判定する。図６に示すフローにおいてシステムメモリ５２に記録されている青色成分が所定以上であるか所定未満であるかに応じて、Ｓ３１１では次に表示する画像の明るさを判定する。青色成分が所定以上であったと判定した場合は、Ｓ３１２へ進み、そうでない場合は、Ｓ３１３へ進む。なお、画像の属性情報から画像の撮影時刻や撮影モード等を読みとり、画像が撮影された際の情報を取得して（すなわち画像自体は解析することなく）、この情報に基づいて判定するものとしてもよい。つまり、属性情報に暗所において撮影されたことを含む情報があれば、暗所表示処理をしないようにする。撮影時刻が夜間の時刻であったり、暗所用の撮影モードで撮影されたことを示す属性情報が記録されていた場合は、暗所表示処理をしないようにする。また、画像の属性情報に既に解析済みのＲＧＢヒストグラムの情報（各色成分の割合を示す情報）が記録されている場合には、この情報に基づいて判定するものとしてもよい。
【００４５】
Ｓ３１２では、システム制御部５０は、次に表示する画像を図７（ｂ）に示すように暗所表示処理して表示する。図７（ｂ）の再生画像７０４は、図７（ａ）の再生画像７０１を暗所表示処理した画像である。この時に不揮発性メモリ５６に本来記録されている画像とは異なる色彩の画像を表示していることを示す色彩変更表示７０７を表示部２８に表示する。このように本来記録されている色彩とは異なる画像であることを示す表示をすることにより、ユーザは赤色表示されている画像が記録されているわけではないことを認識することができる。
【００４６】
Ｓ３１３では、システム制御部５０は、次に表示する画像を図７（ｃ）に示すように記録されているＲＧＢ成分のまま表示（通常表示）する。青色成分が所定値よりも小さいような画像であれば暗所においてそのまま表示してもよい。また、暗所において撮影した画像は青色成分が所定未満である可能性が高く、暗所において撮影した画像をすぐに確認したい場合には、そのままのＲＧＢ成分で表示した方が撮影した画像をより正確に確認することができる。そのため、暗所において撮影された画像は、赤色表示するよりも正確に表示して表示精度を向上させるようにする。一方で明所において撮影された画像は、暗所において色彩を正確に（明所で撮影されたままの画像を）表示すると暗順応を大きく阻害する可能性が高いので、正確に表示するよりも赤色表示をするようにする。
【００４７】
Ｓ３１４では、システム制御部５０は、再生モードが終了したか否かを判定する。終了したと判定した場合には、Ｓ３１６へ進み、そうでない場合は、Ｓ３１５へ進む。再生モードの終了は、再生モード以外の撮影モードやメニュー画面に切替えたり、電源がＯＦＦになったりすることである。
【００４８】
Ｓ３１５では、システム制御部５０は、画像送り（画像切替え）が行われたか否かを判定する。画像送りが行われたと判定した場合には、Ｓ３１０に戻り該画像送りの指示により現在表示されている画像ではなく、次に再生されると指示された画像の青色成分が所定以上であるか否かを判定する。画像送りが行われなかったと判定した場合には、Ｓ３０７に戻る。ここで、画像送りの指示とは、ユーザによる表示中の画像に対するスワイプ操作やドラッグ操作等のタッチ操作等や、画像送りボタンの押下等である。スライドショーとは異なり、該操作を受け付けたこと応じて現在表示されている画像から他の画像に切り替わるような操作を画像送りの指示をする操作とする。
【００４９】
Ｓ３１６では、システム制御部５０は、表示部２８への表示が終了したか否かを判定する。表示が終了したと判定した場合は、画像表示のフローを終了し、そうでない場合は、Ｓ３０４へ戻る。表示部２８への表示はユーザの最後の操作があってから所定時間以上なにも操作がなかった場合にスリープ状態に入り表示を中止してもよい。また、電源がＯＦＦされたことによっても表示は終了する。
【００５０】
Ｓ３１７では、システム制御部５０は、明所表示をする。明所表示については、図５の明所表示のフローで説明する。
【００５１】
Ｓ３１８では、システム制御部５０は、撮影した画像にかけることのできる効果の作例表示が開始されたか否かを判定する。効果の作例表示が開始されたと判定した場合は、Ｓ３１９へ進み、そうでない場合は、Ｓ３２６へ進む。効果の作例表示とは、撮影する画像の色彩やピント等を変更してもともとの画像とは異なる雰囲気の画像になるような画像にかける効果を説明するためのものであり、既に効果のかけられた画像を作例として表示する。作例表示で説明されている各効果のかかった作例表示（作例画像）から、ユーザは直感的に効果を把握することができる。図８は効果の作例画面の一例であるノスタルジー効果を示す作例画面を示している。ノスタルジーは暗所ではなく明るい室内や昼間に（明所において）撮影された画像に対してかけるのに適した画像処理の効果であり、青色成分と緑色成分の明度を低くし、さらに画像全体をぼかすようにすることで画像がノスタルジックな雰囲気になるようにする。画像の青色成分の明度を低くする処理を含む効果なので、暗所において撮影された画像にかける効果には適さない。例えば、星空にノスタルジーの効果をかけると星が赤っぽくぼやけて表示されてしまう可能性がある。図８（ａ）の効果表示８０３のノスタルジーという効果を画像にかけた場合には、作例画像８０１のような画像（効果画像）になることを示している。また、効果説明８０２にはノスタルジー効果に関する説明を表示している。作例表示によって説明されている効果は、画像の撮影前に該画像にかけるように設定をすることもできるし、画像の撮影後に該画像にかけるように設定することもできる。図８（ａ）は暗所表示設定ＯＦＦの場合のノスタルジー効果の作例画面である。図８（ｂ）は暗所表示設定ＯＮの場合のノスタルジー効果の作例画面である。図８（ｃ）は星空強調効果を説明するための作例画像８０７が表示されており、暗所表示設定ＯＮの場合の作例画面を示している。星空強調効果は星空を強調するために画像の白色部分が目立つようにする効果であり、暗所において（星空を）撮影した画像に対してかけるのに適した効果である。作例画面で説明される効果には、他にコントラスト強調効果、紅葉効果、ファンタジック効果、青強調効果、夜景ぼけ効果等がある。星空強調効果および夜景ぼけ効果は暗所で撮影された（もしくは暗所モードが設定された場合に撮影された）画像にかけるための効果である。夜景ぼけ効果は星空強調効果と同様に暗所において撮影された画像にかけるための適した効果であり、夜景に写る光をぼかすような効果である。一方で、紅葉効果、ファンタジック効果、青強調効果は明所で撮影された画像にかけるための効果（明所用の効果）である。紅葉効果は赤色、黄色、青色として取得された色彩がさらに強調されるようにする効果であり、ファンタジック効果は全ての色彩の明度を高くするようにする効果である。青色強調効果は青色が強調されるようにする効果である。これらの明所で撮影された画像にかける効果は、黒色部分の多いような暗所で撮影された画像にかけてもあまり画像に変化がない、もしくはユーザが好ましくないと感じる画像になる可能性がある。なお、現在表示されている効果とは異なる効果の作例画面を表示するには、十字キーの左右キーやスワイプ操作等の切替操作により行われる。
【００５２】
Ｓ３１９では、システム制御部５０は、ユーザの操作に従って順次作例の表示を開始する。
【００５３】
Ｓ３２０では、システム制御部５０は、次に表示する作例が星空強調効果または夜景ぼけ効果のいずれかの効果か否かを不揮発性メモリ５６に記録されている効果の種類により判定する。星空強調効果および夜景ぼけ効果は暗所において撮影された画像にかけるのに適した効果（暗所用の効果）であり、予め暗所用の効果であると不揮発性メモリ５６に記録されている。星空強調効果または夜景ぼけ効果の作例が次に表示されると判定した場合は、Ｓ３２３へ進み、そうでない場合は、Ｓ３２１へ進む。
【００５４】
Ｓ３２１では、システム制御部５０は、作例画像を非表示にし、図８（ｂ）の中止説明８０４に示すように表示部２８に作例画像を非表示にしたことを説明する表示をする。作例画像は効果をユーザにより分かりやすく説明するために表示するものであり、暗所表示処理が行われた状態で作例画像を表示すると誤った効果がユーザに伝わる可能性がある。よって、暗所表示設定がＯＮの場合には、明所用の効果の作例画像は暗所表示処理するのではなく、画像自体を表示せずに、効果表示８０６や効果説明８０５の記載により効果を説明する。ノスタルジー効果は明所において撮影された画像にかけるのに適した効果であり、ノスタルジー効果を説明する作例画像は明所において撮影された画像である。ノスタルジー効果等の明所用の効果は、明所（暗所でない場所）で撮影された画像にかけるのに適した効果であり、表示される作例画像の青色成分も高いと考えられる。これらの作例画像の青色成分が所定以上であった場合に、暗所表示処理をした作例画像を表示すると、本来画像にかかる効果とは異なる効果になり、ユーザが効果を誤って理解してしまう可能性があるので、作例画像自体を表示しない。もしくは、暗所表示設定ＯＮの場合には、作例画像だけでなく明所用の効果の作例自体を表示しないようにしてもよい。
【００５５】
Ｓ３２２では、システム制御部５０は、図８（ｂ）に示すように、次に表示する作例表示の中止説明８０４や効果表示８０６や効果説明８０５を含む全ての表示部分に対して暗所表示処理をして表示部２８に表示する。
【００５６】
Ｓ３２３では、システム制御部５０は、図８（ｃ）に示すように、次に表示する作例のうち作例画像８０７以外の部分を暗所表示処理して表示部２８に表示する。
【００５７】
Ｓ３２４では、システム制御部５０は、図８（ｃ）に示すように、次に表示する作例の作例画像８０７を不揮発性メモリ５６に記録されているＲＧＢのまま表示部２８に表示（通常表示）する。暗所撮影で使用される効果の作例画像８０７は、明所撮影で使用される効果の作例画像よりも、青色成分が小さいためユーザの暗順応を阻害する可能性も低い。また、暗所においては暗所モードに適した効果の作例を見て撮影を行う可能性が高いため、不揮発性メモリ５６に記録してあるままの色彩で（暗所表示処理をすることなく）正確に画像を表示した方が効果を分かりやすくユーザに伝わる。
【００５８】
Ｓ３２５では、システム制御部５０は、表示中の作例の効果に決定（効果選択）されたか否かを判定する。作例中の効果を決定されたと判定した場合は、Ｓ３２６へ進み、そうでない場合は、Ｓ３１９へ戻る。表示中の作例の効果は、メニューボタン７５の押下により決定することができる。効果を決定すると選択した効果をかけるように撮影を行う、または撮影した画像に効果をかける。ここで、作例表示は終了しライブビュー画像に切り替わる。
【００５９】
Ｓ３２６では、システム制御部５０は、図９（ｂ）に示すようにライブビュー画面における表示アイテム９０４、９０６に対して暗所表示処理をして表示する。図９はライブビュー画面の一例を示したものであり、図９（ａ）は暗所表示設定ＯＦＦ、図９（ｂ）は暗所表示設定ＯＮの場合のライブビュー画面である。図９（ａ）に示す表示アイテム９０１、９０３は暗所表示処理をしていない場合の表示アイテムを示したものである。ライブビューにおけるこれらの設定に関する表示アイテムを表示すると素早く設定の変更をすることができるが、ライブビュー表示中に必ずしも表示部２８に表示しなくてもよい。
【００６０】
Ｓ３２７では、システム制御部５０は、図９（ｂ）に示すように撮像部２２において得たライブビュー画像９０５に対して暗所表示処理をせずに表示をする。暗所において得られるライブビュー画像９０５の青色成分は暗い画像であるため低く、暗順応が阻害される可能性が低いのでそのまま表示する。また、暗所において撮影を行っているのだから撮像部２２で得られた画像をそのまま表示した方が撮影した画像を正確に確認することができる。明所であればそもそも暗順応する必要がないので、ライブビュー画像は暗所表示処理せずにそのまま表示する。なお、ライブビュー画像だけでなく画像に効果をかけたり、他の画像と合成をしたり、大きさを変えたりする等の編集をした場合にも、該編集中に該画像を表示する際には青色成分の値に関わらず、暗所表示処理を行わずに表示をしてもよい。暗所表示設定がＯＮであっても、編集作業や撮影を行う場合には暗所表示処理を行わない方が対象となる画像を正確に確認できる。
【００６１】
Ｓ３２８では、システム制御部５０は、撮影指示があったか否かを判定する。撮影指示があったと判定した場合は、Ｓ３２９へ進み、そうでない場合は、Ｓ３３１へ進む。撮影指示とは、シャッターボタン６１の操作完了、いわゆる全押しの操作のことを示す。撮影指示がされると第２シャッタースイッチ信号ＳＷ２により、撮像部２２で得られた画像が記録媒体２００に画像データとして書き込まれる。
【００６２】
Ｓ３２９では、システム制御部５０は、撮影を行う。ここでは静止画撮影を行うものとする。
【００６３】
Ｓ３３０では、システム制御部５０は、最新のＳ３２９において撮影された画像を表示部２８に表示する。このとき撮影した画像に対して暗所表示処理は行わない。このように、撮影が行われた直後に該撮影で得られた画像を表示するレックレビュー表示においては、ライブビュー画像同様に暗所表示処理は行わない。また、画像に効果をかけたり、他の画像と合成をしたり、大きさを変えたりする等の編集をした場合にも、該編集の直後に該画像を表示する際には暗所表示処理を行わずに表示をしてもよい。
【００６４】
Ｓ３３１では、システム制御部５０は、撮影モードを終了する指示があったか否かを判定する。撮影モードを終了する指示があったと判定した場合は、Ｓ３３２へ進み、そうでない場合は、Ｓ３１８へ戻る。撮影モードを終了する処理は、撮影モード以外の再生モードやメニュー画面に切替えたり、電源がＯＦＦになったりすることである。
【００６５】
Ｓ３３２では、システム制御部５０は、Ｓ３１６と同様に表示部２８への表示が終了したか否かを判定する。表示が終了したと判定した場合は、画像表示処理を終了し、そうでない場合は、Ｓ３０４へ戻る。
【００６６】
次に図４の表示設定のフローについて図１０を使用して説明する。表示設定では、表示に関する設定を行うことができ、ここでは主に暗所表示設定について説明する。図４の表示設定のフローは図３のＳ３０２もしくは図５のＳ５０２に移行すると開始する。
【００６７】
Ｓ４０１では、システム制御部５０は、表示設定において暗所表示のＯＮ（有効）とＯＦＦ（無効）を切り替える暗所表示設定が選択されたか否かを判定する。暗所表示設定が選択されたと判定した場合は、Ｓ４０２へ進み、そうでない場合は、Ｓ４０７へ進む。
【００６８】
Ｓ４０２では、システム制御部５０は、図１０（ａ）に示す暗所表示設定の画面１００４において暗所表示設定がＯＮにされたか否かを判定する。図１０は暗所表示設定の画面を示したものであり、図１０（ａ）は暗所表示設定ＯＦＦ、図１０（ｂ）は暗所表示設定ＯＮの場合の暗所表示設定の画面を示したものである。暗所表示設定がＯＮにされたと判定した場合は、Ｓ４０３へ進み、そうでない場合は、Ｓ４０５へ進む。図１０（ａ）の暗所表示設定画面において、コントローラホイール７３の回転操作や十字キー等の下キーボタンの押下といった操作部７０への操作によりＯＮとＯＦＦは切り替えることができる。
【００６９】
Ｓ４０３では、システム制御部５０は、暗所表示設定をＯＮにし、システムメモリ５２に記録する。
【００７０】
Ｓ４０４では、システム制御部５０は、図１０（ｂ）に示すように暗所表示処理を行った暗所表示設定の画面１００５を表示する。
【００７１】
Ｓ４０５では、システム制御部５０は、暗所表示設定をＯＦＦにし、システムメモリ５２に記録する。
【００７２】
Ｓ４０６では、システム制御部５０は、図１０（ａ）に示すように暗所表示処理を行っていない暗所表示設定の画面１００４を表示する。暗所表示設定がＯＮからＯＦＦに切り替えられた場合は、図１０（ｂ）の暗所表示設定の画面１００５の表示から図１０（ａ）の暗所表示設定の画面１００４の表示に切替えられる。
【００７３】
Ｓ４０７では、システム制御部５０は、表示設定に関する他の明るさ設定、文字の大きさ設定、表示のレイアウト設定等の様々な設定を行う。ここでは、それぞれの設定の説明は割愛する。
【００７４】
Ｓ４０８では、システム制御部５０は、表示設定を終了する指示があったか否かを判定する。表示設定を終了する指示があったと判定した場合は、表示設定の処理を終了し、そうでない場合は、Ｓ４０１へ戻る。表示設定を終了する指示とは、戻るボタン１００３の押下によって表示設定に戻り、更に表示設定から戻るボタンの押下によってメニュー画面に戻ることや、再生画面やライブビュー画面に切り替えられることである。
【００７５】
次に図５の明所表示のフローについて説明する。明所表示のフローは、暗所表示設定がＯＦＦの場合の表示のフローを示しており、撮影を行っている場所が明所であるからといって必ずしも明所表示の処理を行うわけではない。図５の明所表示のフローは図３のＳ３１７に移行すると開始する。
【００７６】
Ｓ５０１〜Ｓ５０２は、図３のＳ３０１〜Ｓ３０２と同様の処理である。
【００７７】
Ｓ５０３では、システム制御部５０は、暗所表示設定がＯＮであるか否かを判定する。暗所表示設定がＯＮであると判定した場合は、図３のＳ３０４へ進み、そうでない場合は、Ｓ５０４へ進む。
【００７８】
Ｓ５０４〜Ｓ５０５は、図３のＳ３０４〜Ｓ３０５と同様の処理である。
【００７９】
Ｓ５０６〜Ｓ５０８は、図３のＳ３０７〜Ｓ３０９と同様の処理である。
【００８０】
Ｓ５０９では、システム制御部５０は、図７（ａ）に示すように次に表示する再生画像７０１と表示アイテム７０２、７０３に対して暗所表示処理をせずに表示（通常表示）する。
【００８１】
Ｓ５１０〜Ｓ５１２は、図３のＳ３１４〜Ｓ３１６と同様の処理である。
【００８２】
Ｓ５１３〜Ｓ５１４は、図３のＳ３１８〜Ｓ３１９と同様の処理である。
【００８３】
Ｓ５１５は、システム制御部５０は、図８（ａ）に示すように次に表示する作例画像８０１、効果説明８０２、効果表示８０３に対して暗所表示処理をせずに表示（通常表示）する。
【００８４】
Ｓ５１６では、システム制御部５０は、図３のＳ３２５と同様に、表示中の作例の効果に決定したか否かを判定する。作例中の効果を決定したと判定した場合は、Ｓ５１７へ進み、そうでない場合は、Ｓ５１４へ戻る。表示中の作例の効果は、メニューボタン７５の押下により決定することができる。効果を決定すると選択した効果をかけるように撮影を行う、または撮影した画像に効果をかける。ここで、作例表示は終了しライブビュー画像に切り替わる。
【００８５】
Ｓ５１７では、システム制御部５０は、図９（ａ）に示すようにライブビュー画像９０２と表示アイテム９０１、９０３に対して暗所表示処理をせずに表示（通常表示）する。
【００８６】
Ｓ５１８〜Ｓ５２２は、図３のＳ３２８〜Ｓ３３２と同様の処理である。
【００８７】
次に図６の青色成分計測のフローについて説明する。青色成分の計測方法について第一の計測方法（Ｓ６０１〜Ｓ６０７）と第二の計測方法（Ｓ６１０〜Ｓ６１６）の二つについて説明する。計測方法はどちらの方法であってもよい。
【００８８】
［第一の計測方法］
第一の計測方法では、画像の画素１つ１つのＢ成分を取得し、Ｂ成分が閾値以上であるか否かを判定する。さらに、Ｂ成分が閾値以上（例えば２５６段階での１５０以上）である画素が画像全体の画素の２割以上（所定の割合以上）であれば画像のＢ成分が所定以上であると判定するものとする。このように計測を行うことで画像に部分的にＢ成分の多い箇所があった場合には、その画像をＢ成分が所定以上あるものとして把握することができる。一方で、Ｂ成分が閾値以上である画素が２割未満（所定の割合未満）である場合には、画像のＢ成分が所定未満であり、暗順応を妨げる画像として判定しないものとする。前述した画素のＢ成分の閾値（本実施形態では１５０）と、閾値以上のＢ成分の画素の割合（本実施形態では２割）は、暗順応がとけにくい値であれば上述した値でなくてもよい。また、Ｇ成分も含めて閾値を判定する場合には、（Ｂ成分の明度×１）＋（Ｇ成分の明度×２）が２００以上であるか否かを判定するようにしてもよい。少なくともＢ成分の明度の値を含めた値で暗順応を妨げる可能性のある画像か否かの判定を行う必要がある。
【００８９】
Ｓ６０１では、システム制御部５０は、ｎ番目の画素のＢ成分を取得する。ｎの初期値は０であるものとする。すなわち、最初はｎ＝０＋１＝１の画素のＢ成分を取得する。画素は画像の左上から右上に向かって、上から下に向かって順に番号が増えていくように計測する順番を決定するものとする。つまり、左上の画素が１番目、右下の画素がＮ番目となるようにする。ｎ＝１の画素のＢ成分の取得がされた次にはｎ＝１＋１の画素の青色成分の取得を行う。
【００９０】
Ｓ６０２では、システム制御部５０は、取得された画素のＢ成分が閾値１５０以上であるか否かを判定する。画素のＢ成分が１５０以上であると判定した場合は、Ｓ６０３へ進み、そうでない場合は、Ｓ６０６へ進む。
【００９１】
Ｓ６０３では、システム制御部５０は、Ｂ成分が閾値以上である画素の数ｂを１増やして（ｂ＝ｂ＋１にして）、システムメモリ５２に記録する。Ｂ成分が閾値以上の画素の数ｂはＳ６０３の処理が行われる度に書きかえられる。ｂの初期値は０であるものとする。
【００９２】
Ｓ６０４では、システム制御部５０は、Ｂ成分が閾値以上であるとされた画素の数（ｂ）が画像全体のＮ個の画素のうち２割以上（ｂ≧Ｎ×０．２）あるか否かを判定する。２割以上あると判定した場合は、Ｓ６０５へ進み、そうでない場合は、Ｓ６０６へ進む。
【００９３】
Ｓ６０５では、システム制御部５０は、画像のＢ成分（青色成分）が所定以上であること（暗順応を妨げる可能性の高い画像であること）をシステムメモリ５２に記録する。
【００９４】
Ｓ６０６では、システム制御部５０は、Ｎ番目の画素までＢ成分の取得を終了したか（ｎ＝Ｎになるまで画素の取得を行ったか）否かを判定する。Ｎ番目の画素までＢ成分の取得を終えたと判定した場合は、Ｓ６０７へ進み、そうでない場合は、Ｓ６０１へ戻り次の画素（ｎ＋１番目の画素）のＢ成分の取得を行う。
【００９５】
Ｓ６０７では、システム制御部５０は、画像のＢ成分が所定未満であること（暗順応を妨げる可能性の低い画像であること）をシステムメモリ５２に記録する。
【００９６】
上述の計測方法では、所定数（画像全体の２割）の閾値以上のＢ成分の画素が見つかった時点で処理を終了するので処理時間が短くなる。
【００９７】
なお、Ｂ成分が閾値以上の画素の割合が２割の場合暗順応を妨げる画像とするとしたのは夜景撮影や星空撮影等の暗所撮影で撮影される画像では、Ｂ成分が閾値以上であると判定される部分が２割に満たないとしたためであるが、必ずしも２割でなくてもよい。または、部分的にでも明るい箇所が少しでもあるとユーザにとって不都合があるような場合には２割ではなく１割や０．５割としてもよいし、Ｂ成分の閾値自体を変更してより正確に所定以上のＢ成分の画像を取得できるようにしてもよい。また、長秒露光撮影やパノラマ撮影で得られた画像は明るい部分が他の夜景撮影で得られた画像よりも多い場合が多いので、長秒露光やパノラマの場合には閾値を３割や２．５割といった通常よりも大きな値にしてもよい。
【００９８】
また、画像全体の２割でなくても例えば画像の中央部のある領域にある画素のみを判定し、そのうち所定の割合の画素のＢ成分が閾値以上であれば、暗順応を妨げる可能性の高い画像として判定してもよい。
【００９９】
［第二の計測方法］
第二の計測方法では、画像の画素１つ１つのＢ成分を取得し、Ｎ個全ての画素のＢ成分の平均値が所定以上であるか否かを判定する。各画素のＢ成分の平均を求めるので、画像の一部にＢ成分の多い箇所があり、その他の部分がそうでない部分であっても平均化される。よって、第二の計測方法であれば部分的にＢ成分の多い画像であってもよいが、画像全体が青色に近い色であるような画像を表示したくない場合は好適である。
【０１００】
Ｓ６１０では、システム制御部５０は、Ｓ６０１と同様にｎ番目のＢ成分を取得する。
【０１０１】
Ｓ６１１では、システム制御部５０は、最後にＳ６１１において加算された（ｎ−１）個の画素のＢ成分の合計Ｃ（ｎ−１）に、最新のＳ６１０で取得された画素のＢ成分の値ｃを加算した結果Ｃｎをシステムメモリ５２へ記録する。このように各画素のＢ成分を加算していき、Ｎ個全ての画素のＢ成分を加算していく。
【０１０２】
Ｓ６１２では、システム制御部５０は、最後の画素までＢ成分の明度の取得を行い、Ｎ個の画素のＢ成分の明度を加算したか否かを判定する。Ｎ個の画素のＢ成分の明度を加算し終えたと判定した場合は、Ｓ６１３へ進み、そうでない場合は、Ｓ６１０へ戻る。
【０１０３】
Ｓ６１３では、システム制御部５０は、全画素Ｎ個のＢ成分の明度の平均値ｃａを計算する。ｃａはＮ個の画素のＢ成分の明度の合計Ｃｎを画素の数Ｎで割った値である。
【０１０４】
Ｓ６１４では、システム制御部５０は、Ｂ成分の明度の平均が閾値１５０以上（ｃａ＞１５０）であるか否かを判定する。画素のＢ成分の明度が１５０以上であると判定した場合は、Ｓ６１５へ進み、そうでない場合は、Ｓ６１６へ進む。ここで、システムメモリ５２に記録していたＢ成分の明度の合計Ｃｎの値は消去する。
【０１０５】
Ｓ６１５は、Ｓ６０５と同様の処理である。
【０１０６】
Ｓ６１６は、Ｓ６０７と同様の処理である。
【０１０７】
なお、上述したＢ成分の計測方法では、画像と共に表示部２８に表示される表示アイテムが表示されている領域については、画素のＢ成分の取得を行わなくてもよいし、表示アイテムがないものとしてもよい。また、全画素数のうち所定数の画素のみについて計測を行うようにしてもよい。いずれの場合にも表示アイテムが表示される場合には、表示アイテムに対して暗所表示処理がされて表示される。
【０１０８】
以上、説明した実施形態によれば、暗所表示設定をＯＮにした場合には暗順応を妨げるような画像に対しては暗所表示処理をすることで暗順応を妨げる可能性を低減する。また、暗所等において撮影されたＢ成分が所定未満の画像についてはそのまま表示するので、暗所において暗順応の妨げを低減させるだけでなく、表示精度を向上させることができる。また、暗所において撮影に関する操作を行っている際にユーザが画像を表示する場合には、暗所で撮影された画像の確認または暗所撮影で使用する作例画像の確認等のためであると考えられる。これらの画像が暗所表示処理されて表示（赤色表示）されると、赤色表示された画像をみたユーザは、表示部において正確に観察できなかったり、誤った撮影の設定を行ってしまう可能性がある。一方で、暗所において明るい場所で撮影されたような明るい画像、つまり暗順応を妨げる可能性の高い画像を表示する場合には鑑賞用もしくは画像の再生中誤って表示をしてしまった可能性が高い。表示される画像が自動的に切り替わるスライドショーは撮影した画像の確認というよりも鑑賞用であること考えられるため、スライドショーにおいては画像の明るさに関わらず暗所表示処理をせずに画像を表示する。鑑賞用であるのだから、ユーザは撮影や設定等を正確に行いたいというよりもただ画像を見たいだけである可能性が高く、暗順応が阻害されることを防ぐよりも鑑賞する画像をそのまま表示した方がよい。しかしながら、撮影した画像を画像送りにより誤って表示してしまった場合には、明るい表示により不用意に暗順応がとけてしまうので、画像送りにより表示される画像の青色成分が所定以上である場合には暗所表示処理をして表示をする。暗所表示がＯＮに設定されている場合には画像と共に表示部２８に表示される文字や記号等の表示アイテムは画像の明るさに関わらず暗所表示処理して赤色表示される。よって画像の表示中に表示アイテムを表示するような操作や設定を行ったり、設定画面において設定行っても暗順応が妨げられる可能性が低くなる。
【０１０９】
なお、図６のフローにおいてはシステムメモリ５２に画像のＢ成分が所定以上であったか否かを記録し、記録された判定に基づいてＳ３１１において暗所表示処理をする画像か（暗順応を妨げる画像か）否かを判定するとした。しかし、図６のフローにおいてはＢ成分の値のみをシステムメモリ５２に記録するようにして、記録されたＢ成分の値によりＳ３１１において画像のＢ成分が所定以上であったか（暗順応を妨げる画像か）否かの判定を行ってもよい。また、一度Ｂ成分を計測した画像に対しては、各画像に対応するようにＢ成分の値、または、Ｂ成分が所定以上の画像であるか否かを記録してもよい。
【０１１０】
なお、本実施形態においては暗所に適した暗所表示処理としてＲＧＢ信号を変更する暗所表示処理をするとして説明したが暗所表示処理はこれに限らず、ＹＵＶ信号を変更する処理等においても行うことができる。すなわち、他の色空間で表示する際にも、青色成分（または青色成分と緑色成分）を低減して赤っぽく表示する。また、本実施形態においてはＢ成分を０に低減させるとしたが、Ｂ成分を（１０以上であった場合には）１０に、Ｇ成分を（３０以上であった場合には）３０まで低減させてもよい。
【０１１１】
なお、本実施形態においては、暗所表示設定がＯＮされたことに応じて前述した画像の暗所表示処理をするか否かを判定するとしたが、これに限らず以下のように周囲の明るさに応じて判定をしてもよい。つまり、暗所表示設定がＯＮされていてもデジタルカメラ１００の周囲が明るい場合（照度計測部５７により所定以上の明るさであることが取得された場合）には、青色成分が所定以上の場合であっても暗所表示処理をせずに表示をする。また、暗所表示設定がＯＦＦもしくは、暗所表示設定を行わないような場合であっても照度計測部５７により所定未満の明るさであることが取得された場合に、青色成分が所定以上の画像を表示する指示を受け付けた場合には暗所表示処理をして該画像を表示する。このように周辺の照度に応じて暗所表示処理を行うか否かを決定すると、ユーザは周辺の照度に応じて細かく設定を変更しなくてもよい。
【０１１２】
また、静止画以外の動画を再生する場合にも該動画の各コマの青色成分が所定以上であっても暗所表示処理をせずに表示をするようにしてもよい。暗所において動画を再生する場合には、暗所において撮影した動画を確認するためか、明るい場所で撮影した動画を鑑賞するためである可能性が高い。よって、動画の再生をする場合には、動画に含まれる画像の青色成分の値に関わらず暗所で撮影されたものであれば画像の確認をするために暗所表示処理をせずに表示をした方がよく、また鑑賞のためである場合も暗所表示処理をせずに表示をした方がよい。
【０１１３】
なお、上述した２つの青色成分の計測方法でなくても各画像が撮影された撮影モードに応じて画像の青色成分が一定以上の画像であるか否か（暗順応を妨げる画像か否か）を判定するようにしてもよい。画像が撮影された時に設定されていた撮影モードが暗所に適したものであった場合には、撮影された画像の青色成分は所定未満の画像であるとする。または、撮影された時の撮影設定が暗所で使用するような長秒露光等であれば暗所で撮影された画像としてもよい。また、画像が撮影された時刻が夜で、かつ野外で撮影された場合には、暗所で撮影された画像としてもよい。このように撮影状態に応じて撮影された画像が暗順応を妨げる可能性の高い画像か否かを判定することで画像の輝度を取得する処理をしなくてよく、画像送りにおいてより短い時間で次の画像を送ることができる。
【０１１４】
なお、表示制御装置の制御は１つのハードウェアが行ってもよいし、複数のハードウェアが処理を分担することで、装置全体の制御を行ってもよい。
【０１１５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１１６】
また、上述した実施形態においては、本発明をデジタルカメラ１００に適用した場合を例にして説明したが、これはこの例に限定されず表示部に表示する画像や表示アイテムのＲＧＢ成分をそれぞれ変更することができるような表示制御装置であれば適用可能である。すなわち、本発明は携帯電話端末や携帯型の画像ビューワ、ファインダーを備えるプリンタ装置、デジタルフォトフレーム、音楽プレーヤー、ゲーム機、電子ブックリーダーなどに適用可能である。
【０１１７】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
0006045612.tif 000002
【図２】
0006045612.tif 000003
【図３】
0006045612.tif 000004
【図４】
0006045612.tif 000005
【図５】
0006045612.tif 000006
【図６】
0006045612.tif 000007
【図７】
0006045612.tif 000008
【図８】
0006045612.tif 000009
【図９】
0006045612.tif 000010
【図１０】
0006045612.tif 000011